【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備えたレーザダイオード制御装置のレーザダイオード制御方法であって、
上記制御部の制御により、温度センサの検出する温度が所定値以下であった場合には、ピックアップ移動手段を制御してピックアップを記録媒体の記録領域外に移動し、
駆動装置を制御してしきい値を超える電流をレーザダイオードに供給してレーザ光を出力することを特徴とするレーザダイオード制御装置のレーザダイオード制御方法。
【請求項２】
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備えたレーザダイオード制御装置のレーザダイオード制御方法であって、
上記制御部の制御により、温度センサの検出する温度が所定値以下であった場合には、対物レンズ移動手段を制御して記録媒体に照射するレーザ光の焦点位置を記録媒体の記録膜外の位置に設定し、
駆動装置を制御してしきい値を超える電流をレーザダイオードに供給してレーザ光を出力することを特徴とするレーザダイオード制御装置のレーザダイオード制御方法。
【請求項３】
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備えたレーザダイオード制御装置のレーザダイオード制御方法であって、
上記制御部の制御により、温度センサの検出する温度が所定値以下で、ピックアップの照射位置が記録媒体上の記録領域内にある場合には、対物レンズ移動手段を制御して記録媒体に照射するレーザ光の焦点位置を記録媒体の記録膜外の位置に設定し、
かつピックアップ移動手段を制御してピックアップを記録媒体の記録領域外に移動しつつ、
駆動装置を制御してしきい値を超える電流をレーザダイオードに供給してレーザ光を出力することを特徴とするレーザダイオード制御装置のレーザダイオード制御方法。
【請求項４】
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備えたレーザダイオード制御装置のレーザダイオード制御方法であって、
上記制御部の制御により、温度センサの検出する温度が所定値以下で、ピックアップの照射位置が記録媒体上の記録領域内にある場合には、
ピックアップ移動手段を制御してピックアップを記録媒体の記録領域外に移動しつつ、
駆動装置を制御してしきい値以下の電流をレーザダイオードに供給してレーザ光を出力しないことを特徴とするレーザダイオード制御装置のレーザダイオード制御方法。
【請求項５】
請求項１または請求項３または請求項４のいずれか１つに記載のレーザダイオード制御装置のレーザダイオード制御方法において、上記制御部の制御により、更に、ピックアップが記録媒体の記録領域外に移動した場合には、
対物レンズ移動手段を制御して記録媒体に照射するレーザ光の焦点位置を記録媒体の記録膜の延長線上の位置に設定し、
駆動装置を制御してしきい値を超える電流をレーザダイオードに供給してレーザ光を出力することを特徴とするレーザダイオード制御装置のレーザダイオード制御方法。
【請求項６】
レーザダイオードと、
レーザダイオードに電流を供給してレーザダイオードを駆動する駆動装置と、
レーザダイオードの近傍の温度を検出する温度センサと、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
温度センサの検出する温度が、所定値以下であった場合には、対物レンズ移動手段を制御してレーザ光の焦点位置を記録媒体の記録膜外の位置に設定するか、若しくは、ピックアップ移動手段を制御してピックアップを記録媒体の記録領域外に移動するか、少なくともいずれか１つを行い、駆動装置を制御してしきい値を超える電流をレーザダイオードに供給する制御部を備えたことを特徴とするレーザダイオード制御装置。
【請求項７】
映像又は音声の少なくともいずれか１つを、レーザダイオード制御装置の制御によって記録媒体に記録若しくは再生する光ディスク装置を備える情報記録再生装置であって、
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部を備え、
上記レーザダイオード制御装置は、上記制御部の制御により、
温度センサの検出する温度が所定値以下であった場合には、ピックアップ移動手段を制御してピックアップを記録媒体の記録領域外に移動させ、
駆動装置を制御してレーザダイオードにしきい値電流を越える電流を供給し、
温度センサの検出する温度が所定値を超える場合には、ピックアップ移動手段を制御してピックアップを記録媒体の所定の記録位置に移動し、
上記記録媒体にデータを記録する、または上記記録媒体からデータを読み出すことを特徴とする情報記録再生装置。
【請求項８】
映像又は音声の少なくともいずれか１つを、レーザダイオード制御装置の制御によって記録媒体に記録若しくは再生する光ディスク装置を備える情報記録再生装置であって、
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部を備え、
上記レーザダイオード制御装置は、上記制御部の制御により、
温度センサの検出する温度が所定温度値以下であり、かつピックアップの照射位置が記録媒体の記録領域内である場合には、対物レンズ移動手段を制御して記録媒体に照射するレーザ光の焦点位置を記録媒体の記録膜外の位置に設定し、
駆動装置を制御してレーザダイオードにしきい値を超える電流を供給してレーザダイオードからレーザ光を出力し、
温度センサの検出する温度が所定値を超える場合には、ピックアップ移動手段制御してピックアップを記録媒体の所定の記録位置に移動し、上記記録媒体にデータを記録する、または上記記録媒体からデータを読み出すことを特徴とする情報記録再生装置。
【請求項９】
映像又は音声の少なくともいずれか１つを、レーザダイオード制御装置の制御によって記録媒体に記録若しくは再生する光ディスク装置を備える情報記録再生装置であって、
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備え、
上記レーザダイオード制御装置は、上記制御部の制御により、
温度センサの検出する温度が所定値以下であり、ピックアップの照射位置が記録媒体上の記録領域内にある場合には、対物レンズ移動手段を制御して記録媒体に照射するレーザ光の焦点位置を記録媒体の記録膜外の位置に設定し、
かつピックアップ移動手段を制御してピックアップを記録媒体の記録領域外に移動しつつ、
駆動装置を制御してしきい値を超える電流をレーザダイオードに供給してレーザ光を出力することを特徴とする情報記録再生装置。
【請求項１０】
映像又は音声の少なくともいずれか１つをレーザダイオード制御装置の制御によって記録媒体に記録若しくは再生する光ディスク装置を備える情報記録再生装置であって、
レーザダイオードと、
レーザダイオードに電流を供給してレーザダイオードを駆動する駆動装置と、
レーザダイオード、対物レンズ、対物レンズの焦点位置を変更する対物レンズ移動手段、これらを納めるケースを有するピックアップと、
ピックアップを所定の照射位置に移動するピックアップ移動手段と、
レーザダイオードの近傍の温度を検出する温度センサと、
制御部とを備え、
上記レーザダイオード制御装置は、上記制御部の制御により、
温度センサの検出する温度が所定値以下で、ピックアップの照射位置が記録媒体上の記録領域内にある場合には、
ピックアップ移動手段を制御してピックアップを記録媒体の記録領域外に移動しつつ、
駆動装置を制御してしきい値以下の電流をレーザダイオードに供給してレーザ光を出力しないことを特徴とする情報記録再生装置。
【請求項１１】
請求項７または請求項９または請求項１０のいずれか１つに記載の情報記録再生装置において、
上記レーザダイオード制御装置は更に、ピックアップが記録媒体の記録領域外に移動した場合には、対物レンズ移動手段を制御して記録媒体に照射するレーザ光の焦点位置を記録媒体の記録膜の延長線上の位置に設定し、
駆動装置を制御してレーザダイオードにしきい値を超える電流を供給してレーザダイオードからレーザ光を出力することを特徴とする情報記録再生装置。
【請求項１２】
請求項７乃至請求項１１のいずれか１つに記載の情報記録再生装置において、
更に、半導体メモリ若しくはハードディスク装置の少なくともいずれか１つを備え、
上記レーザダイオード制御装置は、
温度センサの検出する温度が所定温度値以下である場合には、
映像又は音声の少なくともいずれか１つを上記記録媒体に記録せず、上記半導体メモリ若しくはハードディスク装置の少なくともいずれか１つに映像又は音声の少なくともいずれか１つを記録することを特徴とする情報記録再生装置。
【請求項１３】
請求項７乃至請求項１１のいずれか１つに記載の情報記録再生装置において、
更に、半導体メモリ若しくはハードディスク装置の少なくともいずれか１つを備え、
上記レーザダイオード制御装置は、
温度センサの検出する温度が所定温度値以下である場合には、
ハードディスク装置のスピンアップ時間とレーザダイオードのプレヒート時間を比較し、
ハードディスク装置のスピンアップ時間が、レーザダイオードのプレヒート時間より短い場合には、ハードディスク装置のスピンアップを開始し、レーザダイオードのプレヒート処理が終わるまで映像又は音声の少なくともいずれか１つを上記記録媒体に記録せず、
上記半導体メモリ若しくはハードディスク装置の少なくともいずれか１つに映像又は音声の少なくともいずれか１つを記録し、
レーザダイオードのプレヒート時間がハードディスク装置のスピンアップ時間より短い場合には、
レーザダイオードのプレヒート処理を開始するがハードディスク装置のスピンアップは行なわず、レーザダイオードのプレヒート処理終了後に、前記記録媒体に映像又は音声の少なくともいずれか１つを記録することを特徴とする情報記録再生装置。
【手続補正２】
【補正対象書類名】明細書
【補正対象項目名】００７２
【補正方法】変更
【補正の内容】
【００７２】
そこで、本発明の別の実施例では、より短時間にレーザダイオードの温度を上昇させるため、しきい値電流超の電流をレーザダイオードに供給する。しきい値電流超の電流を供給するとレーザダイオードはレーザ光を出力する。しかしレーザダイオードの温度が動作保証温度範囲内であって、立上がり時間が光ディスク装置の書込み若しくは読出しに支障をきたす低温では、十分なエネルギをもつレーザ光ではないのでショボ書き等、記録品質が悪い結果となる可能性が高い。
【手続補正３】
【補正対象書類名】明細書
【補正対象項目名】００７３
【補正方法】変更
【補正の内容】
【００７３】
そこで、本発明の別の実施例では、レーザダイオードの温度が動作保証温度範囲内であって、立上がり時間が光ディスク装置の書込み若しくは読出しに支障をきたす温度のときには、レーザ光が出力されるほどの値の電流、即ちしきい値超の電流を供給して、急激にレーザダイオードの温度を上昇させる。そして、立上がり時間が光ディスク装置の書込み若しくは読出しに支障をきたさない温度まで迅速に上昇させてから、書込み（記録）動作若しくは読出し（再生）動作の実行を開始するものとする。
【手続補正４】
【補正対象書類名】図面
【補正対象項目名】図２
【補正方法】変更
【補正の内容】
【図２】
2009059448.tif 000001
【手続補正５】
【補正対象書類名】図面
【補正対象項目名】図１２
【補正方法】変更
【補正の内容】
【図１２】
2009059448.tif 000002